(57)【要約】      （修正有）【課題】通信機械室のトータルコストを削減するＩＣＴ装置配置算出装置、算出方法及びプログラムを提供する。【解決手段】通信機械室内におけるＩＣＴ装置の配置を算出するＩＣＴ装置配置算出装置３００は、配置対象のＩＣＴ装置の情報を入力する入力部１００と、前記入力された配置対象のＩＣＴ装置の中で、利用予定年数が所定値以上であるＩＣＴ装置については、サイズ条件及び冷却条件を満たすような当該ＩＣＴ装置の配置を決定し、利用予定年数が所定値未満であるＩＣＴ装置については、サイズ条件及び冷却条件を満たす配置のうち、配線コストが最小となるような当該ＩＣＴ装置の配置を決定する演算部２００とを有する。【選択図】図１
2019040246.tif 000002
【特許請求の範囲】
【請求項１】
通信機械室内におけるＩＣＴ装置の配置を算出するＩＣＴ装置配置算出装置であって、
配置対象のＩＣＴ装置の情報を入力する入力部と、
前記入力された配置対象のＩＣＴ装置の中で、利用予定年数が所定値以上であるＩＣＴ装置については、サイズ条件及び冷却条件を満たすような当該ＩＣＴ装置の配置を決定し、利用予定年数が所定値未満であるＩＣＴ装置については、サイズ条件及び冷却条件を満たす配置のうち、配線コストが最小となるような当該ＩＣＴ装置の配置を決定する演算部と、
を有するＩＣＴ装置配置算出装置。
【請求項２】
前記演算部は、サイズ条件算出部と、冷却条件算出部と、距離条件算出部とを有し、
前記サイズ条件算出部は、ＩＣＴ装置毎に、前記通信機械室内のラックのサイズとＩＣＴ装置とのサイズを比較し、ラックのＩＣＴ装置最大収容数を算出し、
前記冷却条件算出部は、前記通信機械室内のラックの許容発熱量を算出し、利用予定年数が所定値以上であるＩＣＴ装置について、当該ＩＣＴ装置の台数がラックのＩＣＴ装置最大収容数以下であるというサイズ条件を満たし、当該ＩＣＴ装置がラックに収容されたときのラックの合計発熱量がラックの許容発熱量以下であるという冷却条件を満たす配置を決定し、
前記距離条件算出部は、利用予定年数が所定値未満であるＩＣＴ装置について、当該ＩＣＴ装置の台数がラックのＩＣＴ装置最大収容数以下であるというサイズ条件を満たし、当該ＩＣＴ装置がラックに収容されたときのラックの合計発熱量がラックの許容発熱量以下であるという冷却条件を満たす配置のうち、ネットワークケーブルの配線距離と、電源ケーブルの配線距離とを最小にする配置を決定する、請求項１に記載のＩＣＴ装置配置算出装置。
【請求項３】
利用予定年数と比較される前記所定値は、前記通信機械室の土地単価に基づいて決定される、請求項１又は２に記載のＩＣＴ装置配置算出装置。
【請求項４】
通信機械室内におけるＩＣＴ装置の配置を算出するＩＣＴ装置配置算出装置におけるＩＣＴ装置配置算出方法であって、
配置対象のＩＣＴ装置の情報を入力するステップと、
前記入力された配置対象のＩＣＴ装置の中で、利用予定年数が所定値以上であるＩＣＴ装置については、サイズ条件及び冷却条件を満たすような当該ＩＣＴ装置の配置を決定し、利用予定年数が所定値未満であるＩＣＴ装置については、サイズ条件及び冷却条件を満たす配置のうち、配線コストが最小となるような当該ＩＣＴ装置の配置を決定するステップと、
を有するＩＣＴ装置配置算出方法。
【請求項５】
前記配置を決定するステップにおいて、
ＩＣＴ装置毎に、前記通信機械室内のラックのサイズとＩＣＴ装置とのサイズを比較し、ラックのＩＣＴ装置最大収容数を算出するステップと、
前記通信機械室内のラックの許容発熱量を算出するステップと、
利用予定年数が所定値未満であるＩＣＴ装置について、当該ＩＣＴ装置の台数がラックのＩＣＴ装置最大収容数以下であるというサイズ条件を満たし、当該ＩＣＴ装置がラックに収容されたときのラックの合計発熱量がラックの許容発熱量以下であるという冷却条件を満たす配置のうち、ネットワークケーブルの配線距離と、電源ケーブルの配線距離とを最小にする配置を決定するステップと
を有する、請求項４に記載のＩＣＴ装置配置算出方法。
【請求項６】
利用予定年数と比較される前記所定値は、前記通信機械室の土地単価に基づいて決定される、請求項４又は５に記載のＩＣＴ装置配置算出方法。
【請求項７】
コンピュータを、請求項１乃至３のうちいずれか１項に記載のＩＣＴ装置配置算出装置の各部として機能させるためのプログラム。
【発明の詳細な説明】
【技術分野】
【０００１】
本発明は、通信機械室内における情報通信技術（ＩＣＴ：Information and Communication Technology）装置の配置を算出する技術に関し、ＩＣＴ装置配置算出装置、ＩＣＴ装置配置算出方法及びプログラムに関する。
【背景技術】
【０００２】
ＩＣＴ装置は大容量化、高機能化の傾向にあり、通信機械室では、高発熱化に伴い空調電力が増加している。
【０００３】
従来の通信機械室では、提供サービス別にＩＣＴ装置が配置されることが多い。この配置方針では、局所的に温度の高いホットスポット（熱だまり）等の問題が発生する（非特許文献１参照）。
【０００４】
このような問題を解決するため、冷気供給量に応じてＩＣＴ装置の負荷を制御する方法（特許文献１参照）や、ＩＣＴ装置の負荷に応じて空調を制御する方法（特許文献２参照）が提案されている。
【０００５】
また、ＩＣＴ装置の物理的配置によって解決を図る方法として、冷却能力、電力容量、空きスペース、荷重、フロアの温度分布を基にＩＣＴ装置の配置計画ができるＤＣＩＭ（Data Center Infrastructure Management）が開発されている（非特許文献２参照）。
【先行技術文献】
【特許文献】
【０００６】
【特許文献１】特開２０１２−１０４５７６号公報
【特許文献２】特開２００９−２９３８５１号公報
【非特許文献】
【０００７】
【非特許文献１】"ＮＴＴ西日本高知中ビルにおける通信機械室の熱対策と空調電力削減"，ＮＴＴ技術ジャーナル  ２０１３．７，４２〜４５ページ，２０１３年７月
【非特許文献２】"ＮＴＴファシリティーズの考えるＤＣＩＭと提供するサービス"，ＮＴＴ技術ジャーナル  ２０１６．４，４４〜４７ページ，２０１６年４月
【発明の概要】
【発明が解決しようとする課題】
【０００８】
上記のように、通信機械室における空調の制御及びＩＣＴ装置の配置計画が検討されている。一方、ＩＣＴ装置の高集積化に伴い、通信機械室においてネットワークケーブルが増加している。非特許文献２の技術では、冷却能力やサイズ等を考慮してＩＣＴ装置の配置計画を行うことが提案されているが、ネットワークケーブルや電源ケーブルの配線は考慮されていない。
【０００９】
通信機械室のトータルコストは導入コストと運用コストに分けて考えることができるが、ネットワークケーブルや電源ケーブルは導入コストに与える影響が大きい。したがって、ＩＣＴ装置間の接続関係を考慮してＩＣＴ装置を配置しなければ導入コストが増加する恐れがある。
【００１０】
本発明は、通信機械室内におけるＩＣＴ装置の配置を検討するに当たり、冷却能力やサイズ等だけでなく、ケーブル長も考慮に入れてＩＣＴ装置の配置を算出することにより、通信機械室のトータルコストを削減することを目的とする。
【課題を解決するための手段】
【００１１】
本発明の一形態に係るＩＣＴ装置配置算出装置は、
通信機械室内におけるＩＣＴ装置の配置を算出するＩＣＴ装置配置算出装置であって、
配置対象のＩＣＴ装置の情報を入力する入力部と、
前記入力された配置対象のＩＣＴ装置の中で、利用予定年数が所定値以上であるＩＣＴ装置については、サイズ条件及び冷却条件を満たすような当該ＩＣＴ装置の配置を決定し、利用予定年数が所定値未満であるＩＣＴ装置については、サイズ条件及び冷却条件を満たす配置のうち、配線コストが最小となるような当該ＩＣＴ装置の配置を決定する演算部と、
を有することを特徴とする。
【００１２】
また、本発明の一形態に係るＩＣＴ装置配置算出方法は、
通信機械室内におけるＩＣＴ装置の配置を算出するＩＣＴ装置配置算出装置におけるＩＣＴ装置配置算出方法であって、
配置対象のＩＣＴ装置の情報を入力するステップと、
前記入力された配置対象のＩＣＴ装置の中で、利用予定年数が所定値以上であるＩＣＴ装置については、サイズ条件及び冷却条件を満たすような当該ＩＣＴ装置の配置を決定し、利用予定年数が所定値未満であるＩＣＴ装置については、サイズ条件及び冷却条件を満たす配置のうち、配線コストが最小となるような当該ＩＣＴ装置の配置を決定するステップと、
を有することを特徴とする。
【００１３】
また、本発明の一形態に係るプログラムは、
コンピュータを、上記のＩＣＴ装置配置算出装置の各部として機能させることを特徴とする。
【発明の効果】
【００１４】
本発明によれば、通信機械室内におけるＩＣＴ装置の配置を検討するに当たり、ケーブル長も考慮に入れてＩＣＴ装置の配置を算出することにより、通信機械室のトータルコストを削減することが可能になる。
【図面の簡単な説明】
【００１５】
【図１】本発明の実施例に係るＩＣＴ装置配置算出装置の機能ブロック図である。
【図２】ＮＷ構成情報ＤＢに記憶される情報の例である。
【図３】フロア・ラック構成情報ＤＢに記憶される情報の例である。
【図４】演算部の詳細な機能ブロック図である。
【図５】演算部における処理を示すフローチャートである。
【図６】サイズ条件算出部の処理を示すフローチャートである。
【図７】冷却条件算出部の処理を示すフローチャートである。
【図８】距離条件算出部の処理を示すフローチャートである。
【図９】最適配置算出部の処理を示すフローチャートである。
【図１０】ＩＣＴ装置収容表の例である。
【図１１】本発明の実施例に係るＩＣＴ装置配置算出装置のハードウェア構成例を示す図である。
【発明を実施するための形態】
【００１６】
以下、図面を参照して本発明の実施例について説明する。
【００１７】
本発明の実施例では、通信機械室内におけるＩＣＴ装置の配置を算出するＩＣＴ装置配置算出装置について説明する。ＩＣＴ装置配置算出装置は、通信機械室内におけるＩＣＴ装置の物理的配置を検討するに当たり、冷却能力やサイズ等だけでなく、ネットワークケーブルや電源ケーブルのケーブル長も考慮する。冷却コストは運用コストに与える影響が大きく、ケーブル長は導入コストに与える影響が大きい。また、ＩＣＴ装置の利用予定年数が長いほど運用コストの影響が相対的に大きくなり、ＩＣＴ装置の利用予定年数が短いほど導入コストの影響が相対的に大きくなる。このため、本発明の実施例では、利用予定年数が長いＩＣＴ装置については運用コスト（冷却コスト）を優先的に考慮するべきであり、利用予定年数が短いＩＣＴ装置については導入コスト（ケーブル長）を優先的に考慮するべきである、という考え方に基づき、ＩＣＴ装置の配置を算出する。
【００１８】
図１に、本発明の実施例に係るＩＣＴ装置配置算出装置の機能ブロック図を示す。ＩＣＴ装置配置算出装置３００は、入力部１００と、演算部２００と、ＮＷ構成情報ＤＢ１０と、フロア・ラック構成情報ＤＢ２０とを有する。なお、入力部１００は、演算部２００とは異なる装置（編集端末）に含まれてもよく、本発明の実施例は、入力部１００を含む編集端末と、演算部２００を含む演算装置とで構成されるＩＣＴ装置配置算出支援システムとして構成されてもよい。
【００１９】
入力部１００は、配置対象のＩＣＴ装置の情報を入力する。具体的には、入力部１００は、ＩＣＴ装置の機能情報と、台数情報と、サイズ情報と、重量情報と、利用予定年数情報を入力する。
【００２０】
演算部２００は、ユーザによって指定されたＩＣＴ装置の利用予定年数に従って、ＩＣＴ装置の最適配備を算出する。具体的には、演算部２００は、配置対象のＩＣＴ装置の中で、利用予定年数が所定値以上であるＩＣＴ装置については、サイズ条件及び冷却条件を満たすような当該ＩＣＴ装置の配置を決定し、利用予定年数が所定値未満であるＩＣＴ装置については、サイズ条件及び冷却条件を満たす配置のうち、配線コストが最小となるような当該ＩＣＴ装置の配置を決定する。演算部２００については、図４〜図１０を参照して以下に詳細に説明する。
【００２１】
ＮＷ構成情報ＤＢ１０は、ＩＣＴ装置間の接続関係を示す接続情報を記憶する。接続情報は、どのＩＣＴ装置がどのＩＣＴ装置に接続するかを表す情報である。図２に、ＮＷ構成情報ＤＢ１０に記憶される情報の例を示す。図２に示すように、例えば、制御サーバはエッジルータに接続すること、伝送装置はフロア外の装置に接続すること等の接続情報がＮＷ構成情報ＤＢ１０に記憶される。
【００２２】
フロア・ラック構成情報ＤＢ２０は、フロア内のラックの配置及び空調機の冷却能力を記憶する。図３に、フロア・ラック構成情報ＤＢ２０に記憶される情報の例を示す。図３に示すように、フロア情報として、フロアの耐荷重、面積、天井高、床下高さ等が記憶され、空調機情報として、空調機の風量、吹き出し温度、戻り温度等が記憶される。また、ラック情報として、ラックの位置、フロア内のケーブル出入口とラックとの間の距離、電源装置とラックとの間の距離、サイズ、耐荷重等が記憶される。各ラックにはラック番号が付与され、ラックの位置は、フロア内のある基点からの距離によって決まる。
【００２３】
次に、演算部２００の詳細な構成及び動作について説明する。図４に、演算部２００の詳細な機能ブロック図を示し、図５に、演算部における処理を示す。演算部２００は、演算式情報ＤＢ５０と、パラメータ編集部２１０と、距離条件算出部２２０と、サイズ条件算出部２３０と、冷却条件算出部２４０と、最適配置算出部２５０とを有する。
【００２４】
まず、入力部１００においてＩＣＴ装置の機能情報と、台数情報と、サイズ情報と、重量情報と、利用予定年数情報が入力される（Ｓ１０１）。パラメータ編集部２１０は、入力部１００において入力された情報を演算式に代入できるように加工する。距離条件算出部２２０と、サイズ条件算出部２３０と、冷却条件算出部２４０とが用いる演算式は、演算式情報ＤＢ５０に記憶されている。
【００２５】
次に、サイズ条件算出部２３０は、ＩＣＴ装置毎に、前記通信機械室内のラックのサイズとＩＣＴ装置とのサイズを比較し、ラックのＩＣＴ装置最大収容数を算出する（Ｓ１０２）。具体的には、サイズ条件算出部２３０は、入力部１００において入力されたＩＣＴ装置のサイズ情報と、フロア・ラック構成情報ＤＢ２０とを参照し、各ラックのＩＣＴ装置最大収容数を算出する。入力部１００において入力されたＩＣＴ装置の台数がラックのＩＣＴ装置最大収容数以下であれば、当該ＩＣＴ装置はラック内に収容できる。複数のラックに収容する場合には、ＩＣＴ装置の台数が複数のラックのＩＣＴ装置最大収容数の合計値以下であれば、当該ＩＣＴ装置は複数のラック内に収容できる。
【００２６】
図６を参照して、サイズ条件算出部２３０の処理について更に説明する。
【００２７】
サイズ条件算出部２３０は、入力部１００において入力されたＩＣＴ装置のサイズ情報（横・奥行き・高さ）と、重量情報を取得し（Ｓ２０１）、フロア・ラック構成情報ＤＢ２０から、ラック番号x（x=1,2,…）のサイズ情報（横・奥行き・高さ）と、耐荷重を取得する（Ｓ２０２）。
【００２８】
入力されたＩＣＴ装置の中からいずれかのＩＣＴ装置を選択し（Ｓ２０３）、当該ＩＣＴ装置がラック内に収容できるかを確認する。ＩＣＴ装置の横サイズがラック番号xの横サイズ未満である場合（Ｓ２０４：ＹＥＳ）、且つ、ＩＣＴ装置の奥行きサイズがラック番号xの奥行きサイズ未満である場合（Ｓ２０５：ＹＥＳ）、ラック番号xの高さサイズをＩＣＴ装置の高さサイズで割る（Ｓ２０６）。得られた整数値がラック番号xのＩＣＴ装置最大収容数である（Ｓ２０７）。通常では、高さサイズによってＩＣＴ装置最大収容数が決まるが、ラックの耐荷重も考慮してもよい。高さサイズによって求められたＩＣＴ装置最大収容数のＩＣＴ装置を収容したときにラック番号xの耐荷重を超える場合には、ラック番号xの耐荷重をＩＣＴ装置の重量で割る。得られた整数値がラック番号xのＩＣＴ装置最大収容数である。
【００２９】
ＩＣＴ装置の横サイズがラック番号xの横サイズ以上である場合（Ｓ２０４：ＮＯ）、或いは、ＩＣＴ装置の奥行きサイズがラック番号xの奥行きサイズ以上である場合（Ｓ２０５：ＮＯ）、当該ＩＣＴ装置はラック番号xに収容することができないため、他のＩＣＴ装置を選択する（Ｓ２０８、Ｓ２０３）。
【００３０】
上記の処理を各ＩＣＴ装置に対して行う（Ｓ２０８）。なお、図６のフローチャートは、ラックに１つの種類のＩＣＴ装置を収容するときのＩＣＴ装置最大収容数を算出する例を示しているが、ラックに複数の種類のＩＣＴ装置を収容することも可能である。既に他の種類のＩＣＴ装置がラック番号xに収容されている場合、ステップＳ２０６において、ラック番号xの未収容部分の高さをＩＣＴ装置の高さサイズで割ることにより、ラック番号xのＩＣＴ装置最大収容数を求めることができる。
【００３１】
再び図５を参照して説明する。冷却条件算出部２４０は、通信機械室内のラックの許容発熱量を算出する（Ｓ１０３）。具体的には、冷却条件算出部２４０は、フロア・ラック構成情報ＤＢ２０を参照し、各ラックの許容発熱量を算出する。フロア・ラック構成情報ＤＢ２０のフロア情報、空調機情報及びラック情報を用いて、フロア内の熱流体解析を行うことで各ラックの許容発熱量を算出することができる。
【００３２】
図７を参照して、冷却条件算出部２４０の処理について更に説明する。
【００３３】
冷却条件算出部２４０は、フロア・ラック構成情報ＤＢ２０から、フロア情報、空調機情報及びラック情報を取得し（Ｓ３０１）、フロア構造、空調方式、吹き出し風量、設定温度等の気流に関する情報を用いて熱流体解析を行う（Ｓ３０２）。床下空調の場合には、開口パネルの開口率等も用いて解析を行う。その結果、各ラック位置の冷却容量を計算し、各ラックの許容発熱量を算出する（Ｓ３０３）。
【００３４】
再び図５を参照して説明する。冷却条件算出部２４０は、入力されたＩＣＴ装置の中からいずれかのＩＣＴ装置を選択し（Ｓ１０４）、ＩＣＴ装置の利用予定年数が所定値x以上であるか判断する（Ｓ１０５）。利用予定年数が所定値x以上である場合、冷却条件算出部２４０は、各ラックのＩＣＴ装置最大収容数及び各ラックの許容発熱量に基づいてＩＣＴ装置収容情報を算出する（Ｓ１０６）。具体的には、冷却条件算出部２４０は、利用予定年数が所定値x以上であるＩＣＴ装置について、当該ＩＣＴ装置の台数がラックのＩＣＴ装置最大収容数以下であるというサイズ条件を満たし、当該ＩＣＴ装置がラックに収容されたときのラックの合計発熱量がラックの許容発熱量以下であるという冷却条件を満たす配置を決定する。
【００３５】
再び図７を参照して、冷却条件算出部２４０の処理について更に説明する。
【００３６】
冷却条件算出部２４０は、入力されたＩＣＴ装置の中からいずれかのＩＣＴ装置を選択し（Ｓ３０４）、ＩＣＴ装置の利用予定年数が所定値x以上であるか判断する（Ｓ３０５）。利用予定年数が所定値x以上である場合、冷却条件算出部２４０は、サイズ条件算出部２３０から出力された各ラックのＩＣＴ装置最大収容数と、冷却条件算出部２４０において既に算出した各ラックの許容発熱量とを参照する（Ｓ３０６）。冷却条件算出部２４０は、メーカーのカタログ等から入手したＩＣＴ装置の発熱量情報を参考に、当該ＩＣＴ装置の台数がラックのＩＣＴ装置最大収容数以下であるというサイズ条件を満たし、当該ＩＣＴ装置がラックに収容されたときのラックの合計発熱量がラックの許容発熱量以下であるという冷却条件を満たすＩＣＴ装置収容情報を算出する（Ｓ３０７）。
【００３７】
利用予定年数が所定値x未満である場合、距離条件算出部２２０に各ラックの許容発熱量を出力する。
【００３８】
上記の処理を各ＩＣＴ装置に対して行う（Ｓ３０８）。
【００３９】
再び図５を参照して説明する。利用予定年数が所定値x未満である場合、距離条件算出部２２０は、サイズ条件及び冷却条件の下で、ネットワークケーブルの配線距離と電源ケーブルの配線距離とを算出し、ネットワークケーブルの配線距離と電源ケーブルの配線距離とを最小にするＩＣＴ装置収容情報を算出する（Ｓ１０７）。具体的には、距離条件算出部２２０は、利用予定年数が所定値x未満であるＩＣＴ装置について、当該ＩＣＴ装置の台数がラックのＩＣＴ装置最大収容数以下であるというサイズ条件を満たし、当該ＩＣＴ装置がラックに収容されたときのラックの合計発熱量がラックの許容発熱量以下であるという冷却条件を満たす配置のうち、ネットワークケーブルの配線距離と、電源ケーブルの配線距離とを最小にする配置を決定する。
【００４０】
図８を参照して、距離条件算出部２２０の処理について更に説明する。
【００４１】
距離条件算出部２２０は、入力部１００において入力されたＩＣＴ装置の機能情報と、台数情報を取得し（Ｓ４０１）、ＮＷ構成情報ＤＢ１０からＩＣＴ装置間の接続関係を取得し、フロア・ラック構成情報ＤＢ２０からラック情報（ラック位置、ケーブル出入口からの距離、電源装置からの距離）を取得する（Ｓ４０２）。また、距離条件算出部２２０は、サイズ条件算出部２３０から出力された各ラックのＩＣＴ装置最大収容数と、冷却条件算出部２４０から出力された各ラックの許容発熱量とを取得する。
【００４２】
サイズ条件及び冷却条件の下で、距離条件算出部２２０は、互いに接続されるＩＣＴ装置ｎとＩＣＴ装置（ｎ＋１）との間の距離を求め、接続関係にある全てのＩＣＴ装置の距離の和、すなわち、ネットワークケーブルの配線距離を算出する（Ｓ４０３）。
【００４３】
また、サイズ条件及び冷却条件の下で、距離条件算出部２２０は、各ＩＣＴ装置ｎと電源装置との間の距離の和、すなわち、電源ケーブルの配線距離を算出する（Ｓ４０４）。
【００４４】
距離条件算出部２２０は、ネットワークケーブルの配線距離と、電源ケーブルの配線距離とを最小にするＩＣＴ装置収容情報を算出する（Ｓ４０５）。
【００４５】
再び図５を参照して説明する。上記の処理を各ＩＣＴ装置に対して行い（Ｓ１０８）、最適配置算出部２５０は、ＩＣＴ装置収容情報を表すＩＣＴ装置収容表を出力する（Ｓ１０９）。
【００４６】
図９を参照して、最適配置算出部２５０の処理について更に説明する。最適配置算出部２５０は、冷却条件算出部２４０又は距離条件算出部２２０において算出されたＩＣＴ装置収容情報から、ＩＣＴ装置収容表を出力する（Ｓ５０１）。図１０に、ＩＣＴ装置収容表の例を示す。ＩＣＴ装置収容表には、どのＩＣＴ装置がどのラック番号に収容されるかが示される。
【００４７】
このように、本発明の実施例では、利用予定年数が長いＩＣＴ装置については運用コスト（冷却コスト）を優先的に考慮するべきであり、利用予定年数が短いＩＣＴ装置については導入コスト（ケーブル長）を優先的に考慮するべきである、という考え方に基づき、ＩＣＴ装置の配置を算出する。利用予定年数の長短を判断する基準年数（上記の実施例において利用予定年数と比較される所定値x）は任意に設定することが可能である。例えば、所定値xは、通信設備の法定耐用年数である６年としてもよく、その半分である３年としてもよい。
【００４８】
また、優先順位を付ける判断指標として、通信機械室の土地単価を考慮してもよい。通信機械室の土地単価が高い場合、フロアを小さくすること（ケーブル長を短くすること）が望ましい場合がある。所定値xを大きくすることにより、導入コストが考慮される可能性が高くなる。したがって、所定値xは、通信機械室の土地単価に基づいて決定されてもよい。
【００４９】
＜本発明の実施例の効果＞
本発明の実施例によれば、通信機械室内における空調電力等の運用コストに加えて、ケーブル配線等の導入コストも考慮に入れてＩＣＴ装置を配置することが可能になる。利用予定年数が長いＩＣＴ装置については運用コスト（冷却コスト）が優先的に考慮され、利用予定年数が短いＩＣＴ装置については導入コスト（ケーブル長）が優先的に考慮され、その結果、通信機械室のトータルコストを削減することが可能になる。
【００５０】
＜ハードウェア構成例＞
図１１に、本発明の実施例に係るＩＣＴ装置配置算出装置３００のハードウェア構成例を示す。ＩＣＴ装置配置算出装置３００は、ＣＰＵ（Central Processing Unit）１５１等のプロセッサ、ＲＡＭ（Random Access Memory）やＲＯＭ（Read Only Memory）等のメモリ装置１５２、ハードディスク等の記憶装置１５３等から構成されたコンピュータでもよい。例えば、ＩＣＴ装置配置算出装置３００の機能及び処理は、記憶装置１５３又はメモリ装置１５２に格納されているデータやプログラムをＣＰＵ１５１が実行することによって実現される。また、ＩＣＴ装置配置算出装置３００へのデータの入力は、入出力インタフェース装置１５４から行われ、ＩＣＴ装置配置算出装置３００からのデータの出力は、入出力インタフェース装置１５４から行われてもよい。
【００５１】
＜補足＞
説明の便宜上、本発明の実施例に係るＩＣＴ装置配置算出装置は機能的なブロック図を用いて説明しているが、本発明の実施例に係るＩＣＴ装置配置算出装置は、ハードウェア、ソフトウェア、または、それらの組み合わせで実現されてもよい。例えば、本発明の実施例に係るＩＣＴ装置配置算出装置は、コンピュータとプログラムによっても実現でき、プログラムを記録媒体に記録することも、ネットワークを通して提供することも可能である。
【００５２】
また、本発明の実施例に係るＩＣＴ装置配置算出装置の各機能部が必要に応じて組み合わせて使用されてもよく、本発明の実施例に係る方法は、実施例に示す順序と異なる順序で実施されてもよい。
【００５３】
以上、通信機械室内におけるＩＣＴ装置の配置を検討するに当たり、ケーブル長も考慮に入れてＩＣＴ装置の配置を算出することにより、通信機械室のトータルコストを削減するための手法について説明したが、本発明は、上記の実施例に限定されることなく、特許請求の範囲内において、種々の変更・応用が可能である。
【符号の説明】
【００５４】
１０    ＮＷ構成情報ＤＢ
２０    フロア・ラック構成情報ＤＢ
５０    演算式情報ＤＢ
１００  入力部
２００  演算部
２１０  パラメータ編集部
２２０  距離条件算出部
２３０  サイズ条件算出部
２４０  冷却条件算出部
２５０  最適配置算出部
３００  ＩＣＴ装置配置算出装置
【図１】
2019040246.tif 000003
【図２】
2019040246.tif 000004
【図３】
2019040246.tif 000005
【図４】
2019040246.tif 000006
【図５】
2019040246.tif 000007
【図６】
2019040246.tif 000008
【図７】
2019040246.tif 000009
【図８】
2019040246.tif 000010
【図９】
2019040246.tif 000011
【図１０】
2019040246.tif 000012
【図１１】
2019040246.tif 000013